【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
シートを支持するシート支持部と、
前記シート支持部を上昇させる上昇部と、
前記シート支持部に支持されているシートに当接してシートを給送可能な給送位置と、前記シート支持部に支持されているシートから離間する離間位置と、に移動可能な給送部材と、
前記給送部材を前記給送位置と、前記離間位置と、の間で揺動可能に支持する揺動部と、
前記給送部材が前記離間位置に位置するように前記揺動部を保持する保持位置と、前記給送部材が前記離間位置から前記給送位置に向けて揺動することを許容するように前記揺動部を保持する許容位置と、に移動可能な保持部と、
駆動力を発生させる駆動源と、
前記駆動源からの駆動力を前記上昇部に伝達可能な第１伝達部と、前記駆動源からの駆動力を前記第１伝達部を介して前記保持部に伝達すると共に前記保持部から前記第１伝達部への駆動力を遮断可能な第２伝達部と、を有する伝達ユニットと、を備え、
前記駆動源の駆動力が前記第１伝達部及び前記第２伝達部を介して前記上昇部及び前記保持部にそれぞれ伝達され、前記上昇部によって前記シート支持部が上昇する際には、前記保持部は前記許容位置に向けて移動する、
ことを特徴とするシート給送装置。
【請求項２】
前記第２伝達部は、前記第１伝達部から分岐し、
前記伝達ユニットは、前記第１伝達部及び前記第２伝達部のいずれか一方に配置され前記駆動源が停止している際に前記保持部が前記保持位置から前記許容位置に移動することを規制する規制部を有する、
ことを特徴とする請求項１に記載のシート給送装置。
【請求項３】
前記規制部は、ウォーム及びウォームホイールからなる、
ことを特徴とする請求項２に記載のシート給送装置。
【請求項４】
前記揺動部及び前記保持部を押圧可能な押圧部と、
前記揺動部に設けられている前記給送部材が前記給送位置から前記離間位置に、かつ前記保持部が前記許容位置から前記保持位置に移動するように前記押圧部を付勢する付勢部と、を備え、
前記第２伝達部は、前記駆動源から前記保持部への駆動力を伝達すると共に前記保持部からの駆動力を遮断するワンウェイクラッチを有する、
ことを特徴とする請求項２又は３に記載のシート給送装置。
【請求項５】
前記揺動部、前記保持部、前記駆動源及び前記伝達ユニットを支持する装置本体と、
前記シート支持部及び前記上昇部を支持すると共に前記押圧部に当接可能に構成され、前記装置本体に対して装着及び引き出し可能な引き出し部と、を備え、
前記装置本体から前記引き出し部が引き出された状態では、前記引き出し部は前記押圧部から離間し、前記付勢部に付勢された前記押圧部によって、前記保持部が前記保持位置に位置すると共に前記給送部材が前記離間位置に位置し、
前記装置本体に前記引き出し部が装着された状態では、前記引き出し部は前記付勢部の付勢力に抗して前記押圧部に当接し、前記保持部が前記押圧部に離間した状態で前記規制部によって前記保持位置に保持される、
ことを特徴とする請求項４に記載のシート給送装置。
【請求項６】
前記装置本体に前記引き出し部が装着された状態において前記駆動源が駆動することで、前記保持部は前記許容位置に向けて移動する、
ことを特徴とする請求項５に記載のシート給送装置。
【請求項７】
前記第１伝達部は、前記装置本体に設けられ前記駆動源によって駆動する第１ギヤと、前記上昇部に設けられる第２ギヤと、を有し、
前記第２ギヤは、前記引き出し部が前記装置本体に装着された状態で前記第１ギヤに噛合し、前記引き出し部が前記装置本体から引き出された状態で前記第１ギヤから離間する、
ことを特徴とする請求項５又は６に記載のシート給送装置。
【請求項８】
前記揺動部、前記保持部、前記駆動源及び前記伝達ユニットを支持する装置本体と、
前記シート支持部及び前記上昇部を支持し、前記装置本体に対して装着及び引き出し可能な引き出し部と、
前記引き出し部が前記装置本体に装着されたこと及び前記装置本体から引き出されたことを検知する検知部と、
前記検知部によって前記引き出し部が前記装置本体に装着されたことが検知されると、前記駆動源を第１方向に駆動させ、かつ前記検知部によって前記引き出し部が前記装置本体から引き出されたことが検知されると、前記駆動源を前記第１方向とは反対の第２方向に駆動させる制御部と、を備え、
前記駆動源が前記第１方向に駆動すると、前記上昇部によって前記シート支持部が上昇すると共に前記保持部が前記許容位置に向けて移動し、
前記駆動源が前記第２方向に駆動すると、前記保持部が前記保持位置に向けて移動する、
ことを特徴とする請求項１乃至３のいずれか１項に記載のシート給送装置。
【請求項９】
前記第１伝達部は、前記駆動源の前記第１方向の駆動力を前記上昇部に伝達すると共に、前記駆動源の前記第２方向の駆動力を前記上昇部に伝達しないワンウェイクラッチを有する、
ことを特徴とする請求項８に記載のシート給送装置。
【請求項１０】
前記保持位置に位置する前記保持部に当接して前記保持部の前記保持位置から前記許容位置へ向かう方向とは逆の方向への移動を規制する第１移動規制部と、
前記許容位置に位置する前記保持部に当接して前記保持部の前記許容位置から前記保持位置へ向かう方向とは逆の方向への移動を規制する第２移動規制部と、を備え、
前記第２伝達部は、前記保持部が前記第１移動規制部又は前記第２移動規制部によって移動が規制されている際に前記駆動源の駆動力を前記保持部に伝達しないトルクリミッタを有する、
ことを特徴とする請求項８又は９に記載のシート給送装置。
【請求項１１】
前記給送部材が前記給送位置に向けて移動するように前記揺動部を付勢する揺動付勢部を備え、
前記揺動付勢部の付勢力は、前記付勢部の付勢力よりも小さくなるように設定される、
ことを特徴とする請求項４乃至７のいずれか１項に記載のシート給送装置。
【請求項１２】
前記給送部材が前記給送位置に向けて移動するように前記揺動部を付勢する揺動付勢部を備える、
ことを特徴とする請求項１乃至１０のいずれか１項に記載のシート給送装置。
【請求項１３】
前記保持部は、前記第２伝達部から駆動力が伝達されるラック部を有する、
ことを特徴とする請求項１乃至１２のいずれか１項に記載のシート給送装置。
【請求項１４】
シートを支持するシート支持部と、
前記シート支持部を上昇させる上昇部と、
前記シート支持部に支持されているシートに当接してシートを給送可能な給送位置と、前記シート支持部に支持されているシートから離間する離間位置と、に移動可能な給送部材と、
前記給送部材を前記給送位置と、前記離間位置と、の間で揺動可能に支持する揺動部と、
前記給送部材が前記離間位置に位置するように前記揺動部を保持する保持位置と、前記給送部材が前記離間位置から前記給送位置に向けて揺動することを許容するように前記揺動部を保持する許容位置と、に移動可能な保持部と、
前記揺動部及び前記保持部を押圧可能な押圧部と、
前記揺動部に設けられている前記給送部材が前記給送位置から前記離間位置に、かつ前記保持部が前記許容位置から前記保持位置に移動するように前記押圧部を付勢する付勢部と、
駆動力を発生させる駆動源と、
前記駆動源からの駆動力を前記上昇部に伝達可能な第１伝達部と、前記第１伝達部から分岐し、前記駆動源からの駆動力を前記保持部に伝達すると共に前記保持部からの駆動力を遮断するワンウェイクラッチを有する第２伝達部と、前記第１伝達部及び前記第２伝達部のいずれか一方に配置され前記駆動源が停止している際に前記保持部が前記保持位置から前記許容位置に移動することを規制する規制部と、を有する伝達ユニットと、を備え、
前記駆動源の駆動力が前記第１伝達部及び前記第２伝達部を介して前記上昇部及び前記保持部にそれぞれ伝達され、前記上昇部によって前記シート支持部が上昇する際には、前記保持部は前記許容位置に向けて移動する、
ことを特徴とするシート給送装置。
【請求項１５】
シートを支持するシート支持部と、
前記シート支持部を上昇させる上昇部と、
前記シート支持部に支持されているシートに当接してシートを給送可能な給送位置と、前記シート支持部に支持されているシートから離間する離間位置と、に移動可能な給送部材と、
前記給送部材を前記給送位置と、前記離間位置と、の間で揺動可能に支持する揺動部と、
前記給送部材が前記離間位置に位置するように前記揺動部を保持する保持位置と、前記給送部材が前記離間位置から前記給送位置に向けて揺動することを許容するように前記揺動部を保持する許容位置と、に移動可能な保持部と、
第１方向及び前記第１方向とは反対の第２方向に駆動可能な駆動源と、
前記駆動源の前記第１方向の駆動力を前記上昇部に伝達すると共に、前記駆動源の前記第２方向の駆動力を前記上昇部に伝達しないワンウェイクラッチを有する第１伝達部と、前記第１伝達部から分岐し、前記駆動源からの駆動力を前記保持部に伝達可能な第２伝達部と、前記第１伝達部及び前記第２伝達部のいずれか一方に配置され前記駆動源が停止している際に前記保持部が前記保持位置から前記許容位置に移動することを規制する規制部と、を有する伝達ユニットと、
前記揺動部、前記保持部、前記駆動源及び前記伝達ユニットを支持する装置本体と、
前記シート支持部及び前記上昇部を支持し、前記装置本体に対して装着及び引き出し可能な引き出し部と、
前記引き出し部が前記装置本体に装着されたこと及び前記装置本体から引き出されたことを検知する検知部と、
前記検知部によって前記引き出し部が前記装置本体に装着されたことが検知されると、前記駆動源を第１方向に駆動させ、かつ前記検知部によって前記引き出し部が前記装置本体から引き出されたことが検知されると、前記駆動源を前記第１方向とは反対の第２方向に駆動させる制御部と、を備え、
前記駆動源が前記第１方向に駆動すると、前記上昇部によって前記シート支持部が上昇すると共に前記保持部が前記許容位置に向けて移動し、
前記駆動源が前記第２方向に駆動すると、前記保持部が前記保持位置に向けて移動する、
ことを特徴とするシート給送装置。
【請求項１６】
請求項１乃至１５のいずれか１項に記載のシート給送装置と、
前記シート給送装置によって給送されたシートに画像を形成する画像形成部と、を備える、
ことを特徴とする画像形成装置。